(57)【要約】      （修正有）【課題】複数本の線香を見栄え良く支持する香炉を提供する。【解決手段】線香の燃え尽きた灰を受け止める灰受体と、複数の棒状をした線香を支持する線香立てとから成り、灰受体の内部には線香立ての底部を嵌め込むための受け凹部を形成し、線香立ての上面から底面に向けて線香を挿入するための複数の挿入孔を貫通開口し、挿入孔の軸線は外側に向けて少し傾斜させて配置する。【選択図】図１
0003179424.tif 000002
【実用新案登録請求の範囲】
【請求項１】
上方が大きく開口して、線香の燃え尽きた灰を受け止める灰受体と、灰受体のほぼ中央に組み合わされて、複数の棒状をした線香を支持する線香立てとから成る香炉であって、
灰受体の内部には線香立ての底部を嵌め込むための受け凹部を形成し、線香立ての上面から底面に向けて線香を挿入するための複数の挿入孔を貫通開口し、挿入孔の軸線は外側に向けて少し傾斜させて配置したことを特徴とする香炉。
【請求項２】
前記線香立ての全体は円筒形の形状であり、その上部周囲は外周に向かって拡大したつば部となっており、つば部の周囲下面に段差部を形成したことを特徴とする請求項１に記載の香炉。
【請求項３】
前記線香立ての下半分は円筒形で、その上部は半球形の頭部となっていてきのこ状をしていて、頭部の下部には段差部を形成したことを特徴とする請求項１に記載の香炉。
【請求項４】
前記線香立てには３つの挿入孔を貫通開口してあり、３つの挿入孔は上面から見て三角形となるように配置し、各挿入孔の軸線は外側に向けて少し傾斜させたことを特徴とする請求項１乃至３の香炉。
【請求項５】
前記線香立てには３つの挿入孔を貫通開口してあり、３つの挿入孔は上面から見て直線状となるように配置し、左右にある２つの挿入孔の軸線は外側に向けて少し傾斜させたことを特徴とする請求項１乃至３の香炉。
【請求項６】
前記線香立てには２つの挿入孔を貫通開口してあり、２つの挿入孔は上面から見て直線状であり、かつ、中央から左右に遍位して配置してあり、２つの挿入孔の軸線は外側に向けて少し傾斜させたことを特徴とする請求項１乃至３の香炉。
【考案の詳細な説明】
【技術分野】
【０００１】
本考案は棒状の線香を支持する香炉に関する。さらに詳しくは、複数の線香の下端を挿入するための挿入孔を貫通開口し、各挿入孔の軸線を香炉の外側に向けて少し傾斜させ、線香の軸線を外側に向けて傾くように支持することができるように構成した香炉に関する。
【背景技術】
【０００２】
従来より、仏壇、墓地、寺社などでは点火した線香を立てて支持するための香炉が用いられていた。一般的な香炉は壷状或いは受け皿状の形状をしていた。それら香炉内部には灰が敷き詰められていて、この灰に線香の下端を突き刺して支持するようになっていた。しかし、香炉内に敷き詰められた灰は軽いため、風によって周囲に飛散するため衛生面で好ましいものではなかった。また、藁などを燃やして製造した香炉用の灰は、時間の経過とともに湿気を吸収して固まる性質があった。表面が固くなった灰には線香の下端を突き当てても差し込むことが困難で、線香が立ち難いものであった。半刺しの場合には線香が倒れることもあって、火災の原因ともなっていた。そして、連続して線香を刺して使用すると、灰の中に燃え滓がたまり、くすぶることもしばしば発生していた。
【０００３】
このような従来の香炉の欠点を解消するため、灰の代わりとして直径５ｍｍ程度の多数のガラス玉や微砕石を灰皿に盛り、ガラス玉や微砕石の間で線香の下部を支持させることで線香を立ち上げさせることも考案されている（例えば、実用新案登録第３０２６７９３号公報など）。この構成では、香炉に灰を用いないため風などによる飛散を防止できるが、ガラス玉や微砕石の間には燃え尽きた線香の滓が残り、時々ガラス玉や微砕石を洗浄しなければならなく、洗浄後のガラス玉や微砕石を乾燥させなければならない手数がかかるものであった。さらに、ガラス玉や微砕石の間に線香の下端を刺すため、線香が確実に刺すことができなかったり、刺した線香が振動などで倒れることも多かった。
【０００４】
このような実情から、灰やガラス玉を用いずに線香を支持することができる構造の香炉が望まれていた。この要望のため、香炉を灰皿と線香支持部材に分け、線香支持部材には上下に挿入孔を貫通させた構造のものが提案されている（例えば、特許文献２）。この構造では、線香の下端を挿入孔に差し込み、線香を垂直に支持させることができるものである。同様な構造は、特許文献４、特許文献５、特許文献８などでも提案されている。
【０００５】
このように新しく提案された香炉の一例を、図１２によりその断面で説明する。香炉を構成する灰皿ａの中には線香支持部材ｂが配置してあり、線香支持部材ｂの上下方向には線香挿入孔ｃ、ｄが貫通開口してある。この線香挿入孔ｃ、ｄにそれぞれ線香ｅ、ｆの下端を挿入し、線香挿入孔ｃ、ｄによって線香ｅ、ｆを支持する構成となっている。
【０００６】
しかし、このような構造の香炉であっては、複数の挿入孔ｃ、ｄが平行に穿ってあっても、そこに挿入した複数の線香ｅ、ｆはそれぞれ勝手な方向に向き、見苦しいものとなっていた。これは、線香ｅ、ｆの外径と挿入孔ｃ、ｄの内径が相違することから、挿入孔ｃ、ｄに挿入した線香ｅ、ｆは傾いて支持されるためである。線香ｅ、ｆの外径は、挿入孔ｃ、ｄの内径よりも必ず小さくしなければ挿入できないからである。こうして、各線香ｅ、ｆの軸線は挿入孔ｃ、ｄの軸線とは一致せず、バラバラの方向を向いて傾くことになる。
【０００７】
また、灰皿ａの中に線香支持部材ｂを設置してあるが、この灰皿ａは往々にして壺状の底の深い形状のものが多い。このような形状の灰皿ａでは、その中に設置した線香支持部材ｂを取り出すのが面倒であった。壺が深いとその底にまで指を挿入しなければならず、線香支持部材ｂを指で挟むのが困難となることもあった。
【先行技術文献】
【特許文献】
【０００８】
【特許文献１】実開昭６１−７３２８７公報
【特許文献２】実開平１−１８０９７４公報
【特許文献３】特開平２−２２１７６公報
【特許文献４】特開平８−１０６６６公報
【特許文献５】特開２００６−０８７８０２公報
【特許文献６】特開２００７−１１７２２３公報
【特許文献７】特開２００７−１４４０９９公報
【特許文献８】特開２００７−２５２８７６公報
【特許文献９】特開２００９−１０５１１８公報
【考案の概要】
【考案が解決しようとする課題】
【０００９】
本考案は、線香立てに穿った複数の線香挿入孔のそれぞれの軸線を中心軸より角度を持たせて外側に傾斜させたものである。線香挿入孔の軸線が傾斜しているため、各線香挿入孔に挿入した線香を、それぞれ外側に向かって同じ角度で傾斜させることができる。各線香を外側に傾斜させることができるので、線香の軸線を放射状や扇形に広げて、綺麗に支持することができる。
【００１０】
また、線香立ての頭部の外周は径大とし、胴体よりも太くした形状としたため、線香立ての頭部の周囲を指で挟むことができる。この形状のため、壺のような深い形状をした香炉では、二本の指を壺の中に入れ、径大となった頭部を挟んで容易に取り出すことができる。
【課題を解決するための手段】
【００１１】
本考案の香炉は、上方が大きく開口して、線香の燃え尽きた灰を受け止める灰受体と、灰受体のほぼ中央に組み合わされて、複数の棒状をした線香を支持する線香立てとから成る香炉であって、灰受体の内部には線香立ての底部を嵌め込むための受け凹部を形成し、線香立ての上面から底面に向けて線香を挿入するための複数の挿入孔を貫通開口し、挿入孔の軸線は外側に向けて少し傾斜させて配置したことを特徴とする（請求項１）。
【００１２】
本考案の香炉は、前記線香立ての全体は円筒形の形状であり、その上部周囲は外周に向かって拡大したつば部となっており、つば部の周囲下面に段差部を形成したことを特徴とする（請求項２）。
【００１３】
本考案の香炉は、前記線香立ての下半分は円筒形で、その上部は半球形の頭部となっていてきのこ状をしていて、頭部の下部には段差部を形成したことを特徴とする（請求項３）。
【００１４】
本考案の香炉は、前記線香立てには３つの挿入孔を貫通開口してあり、３つの挿入孔は上面から見て三角形となるように配置し、各挿入孔の軸線は外側に向けて少し傾斜させたことを特徴とする（請求項４）。
【００１５】
本考案の香炉は、前記線香立てには３つの挿入孔を貫通開口してあり、３つの挿入孔は上面から見て直線状となるように配置し、左右にある２つの挿入孔の軸線は外側に向けて少し傾斜させたことを特徴とする（請求項５）。
【００１６】
本考案の香炉は、前記線香立てには２つの挿入孔を貫通開口してあり、２つの挿入孔は上面から見て直線状であり、かつ、中央から左右に遍位して配置してあり、２つの挿入孔の軸線は外側に向けて少し傾斜させたことを特徴とする（請求項６）。
【考案の効果】
【００１７】
本考案の香炉では、従来のように線香を支持するための灰を使わないため、風などによって灰が飛散することはなく、衛生的である。また、香炉の灰が湿気などにより固まることもなく、長期の使用が可能となる。
【００１８】
また、線香を支持するためにガラス玉や微砕石を使用せず、線香立てに貫通開口した挿入孔により行うため、ガラス玉や微砕石を洗浄したり乾燥させたりする手数が無くなり、使用後の清掃が簡単となる。
【００１９】
そして、線香立てに貫通開口した挿入孔の軸線は外側に向けて傾斜させてあるため、挿入孔に支持させた線香は外側に向けて放射状や扇形に広がり、見栄えが良くなる。
【００２０】
さらに、線香立ての上部周囲には段差部を形成してあるため、清掃のために灰受体から線香立てを取り外す際には段差部に指を接触させることで掴むことができる。このため、灰受体が壺のような深い形状であっても、線香立てを容易に引き上げることができる。
【考案を実施するための最良の形態】
【００２１】
以下、本考案を実施するために最適な形態を図面と共に説明する。
【００２２】
図１は香炉１０を構成する主要部材の灰受体２０と線香立て３０を組み合わせ、線香立て３０に線香４１、４２、４３を支持させた状態である。図２は灰受体２０から線香立て３０を取り出し、線香４１、４２、４３を線香立て３０から引き出した状態である。図３は、図１における香炉１０の縦断面であり、図４は灰受体２０から線香立て３０を取り出した香炉１０の縦断面である。
【００２３】
香炉１０は灰受体２０と線香立て３０により構成されていて、両者は例えば真鍮や鉄の素材を切削して形成したり、焼結した磁器などにより形成してある。灰受体２０はその断面形状が図３、図４で示されていて、全体がブランディーグラスのように上方が大きく開口し、下部は細い脚で支持された形状となっている。灰受体２０の下部は薄肉の円盤形をして机などに載置するための座板２１となっていて、座板２１の上面中心には垂直に脚部２２が立ち上げてある。脚部２２には、燃え尽きた線香４１、４２、４３の灰を受け止めることのできる皿部２３の下端が連結してある。この皿部２３はその外形が逆円錐形となり、皿部２３の内形（上面を向いた面）は半球形の内周面２５となっている。この内周面２５の底には下方に向けて円形の受け凹部２４が穿ってあり、この受け凹部２４の深さはｘに設定してある。これら座板２１、脚部２２、皿部２３、受け凹部２４により、傘を反転させたように、上面が大きく開いた灰受体２０が一体に形成されている。
【００２４】
線香立て３０は前記受け凹部２４に嵌め込まれ、灰受体２０とは自由に分離できるものである。この線香立て３０の外形はやや円柱形をしており、その胴部の外径は前記受け凹部２４の内径よりも少し小さく設定してあり、受け凹部２４に線香立て３０の下端を抜き差し自在に挿入することができる。線香立て３０のその上部周囲は外側に拡大したつば部３５が形成してあり、つば部３５により線香立て３０の上部は径大となっていて、線香立て３０の胴部とつば部３５の間には段差部３６が形成されている。この線香立て３０の底面からつば部３５の下面までの長さはｙであり、ｙの長さはｘの深さよりも長くなるように設定してある。この長さの設定により、線香立て３０の下部を受け凹部２４に挿入した場合、図３で示すようにつば部３５の下面と内周面２５の内面との間には少し間隔が空けられていて、段差部３６に指を挿入することができるような構成となっている。
【００２５】
そして、線香立て３０の上面から下面にかけては３本の挿入孔３１、３２、３３と１本の中央孔３４が貫通開口してある。中央孔３４は線香立て３０の中心であって線香立て３０の軸線と同一になるように開口してあるが、挿入孔３１、３２、３３はその軸線が中央孔３４の軸線より外側にθ１だけ傾斜して開口してある。図３、図４では挿入孔３１と中央孔３４の軸線の角度はθ１で、挿入孔３３と中央孔３４の軸線の角度がθ２となっているが、これは縦断にした場合の視線の方向が斜めになるためである。実際には、挿入孔３１、３２、３３の軸線と中央孔３４の軸線の角度はそれぞれθ１となっていて同一の角度に設定してある。
【００２６】
図６は線香立て３０のより具体的な形状を示すもので、図６（ａ）は線香立て３０の斜視図であって、（ｂ）は（ａ）のｈ−ｈ矢視した断面図である。線香立て３０の下半分は円筒形の胴部となっていて、その上面は外側に拡大したつば部３５があり、胴部とつば部３５の間には段差部３６が形成されている。図６（ａ）で示すように、中央孔３４の軸線は線香立て３０の中心線と同一であるが、挿入孔３１、３２、３３はそれぞれ中央孔３４の軸線を中心として外側に開くように同じ角度θ１を傾けて貫通開口してある。なお、図６（ｂ）では、中央孔３４の軸線と挿入孔３１の軸線はθ１の設定角度であるが、中央孔３４の軸線と３３の軸線はθ２の角度となっているのは、切断面がｈ−ｈの位置であるからである。
【００２７】
次に、この香炉１０を使う手順を説明する。図２、図４は香炉１０を構成する灰受体２０、線香立て３０を分離した状態を示しており、先ず、灰受体２０に線香立て３０を組み合わせる。線香立て３０の下端を受け凹部２４の開口に合わせ、線香立て３０を受け凹部２４内に挿入する。両者が組み合わされた状態が図１、図３で示され、線香立て３０の下面が受け凹部２４の底に密着して固定される。線香立て３０の外径は受け凹部２４の内径より少し小さいため、取り外すことができる程度の緩やかさで組み立てられている。
【００２８】
そして、線香４１の下端を挿入孔３１に、線香４２の下端を挿入孔３２に、線香４３の下端を挿入孔３３にそれぞれ挿入し、線香４１、４２、４３を上方に向けて起立させる。線香４１、４２、４３を支持した状態が図１、図３で示され、各挿入孔３１、３２、３３の軸線は線香立て３０の中心の軸線からそれぞれθ１づつ外側に向けて傾斜させてあるため、支持された線香４１、４２、４３は放射状に外側に少し傾いて支持される。図１では傾いて支持された線香４１、４２、４３を示し、各線香４１、４２、４３は水平面では１２０度の角度を離して配置されている。線香４１、４２、４３の外径は挿入孔３１、３２、３３の内径よりも小さいため（逆であれば、線香４１、４２、４３の下端は挿入孔３１、３２、３３に差し込めないため）、多少の誤差はあっても同じ角度で外側に傾くことになり、各線香４１、４２、４３は常時放射状に開いた形を形成する。
【００２９】
このように支持した各線香４１、４２、４３の上端を点火するとそれぞれは燃え始め、燃え尽きた線香４１、４２、４３の灰は内周面２５に落下し、ここで捕捉されるので机の上などに散ることはない。なお、図１、図２で３本の線香４１、４２、４３を同時に焼香するのは宗教や習慣によるもので、葬儀より四十九日までは１本の線香を中央孔３４に挿入して焼香し、四十九日以降になると３本の線香４１、４２、４３で焼香するためである。
【００３０】
このようにして香炉１０を使用して線香４１、４２、４３を焼香に使用していると、内周面２５の内底には燃え尽きた灰が蓄積されることになり、時々清掃する必要がある。この場合には図５で示すように、親指Ｑと人指し指Ｒを線香立て３０の上部より少し下に位置する段差部３６に挿入して、径大となったつば部３５を掴み、線香立て３０を受け凹部２４から引き出す。この際、図４で示したように受け凹部２４の深さｘは線香立て３０の胴部の長さｙより短いため、つば部３５の下にある段差部３６の下面は内周面２５の底面より少し高い位置にある。このため、つば部３５を親指Ｑと人指し指Ｒで掴む時には、段差部３６の下面に指を挿入でき、容易につば部３５を掴み取ることができ、掃除などの作業が簡単となる。
【００３１】
図７は、本考案の第２の実施の形態を示すものである。この実施の形態では、図６における線香立て３０を変形させたもので、線香立て５０の上部外周は外側に向かって膨らんだつば部５１を形成している。線香立て５０の中央には、その軸線を線香立て５０と同一とした中央孔５２が貫通開口してあり、中央孔５２の左右には挿入孔５３、５４が上下に貫通開口してある。これら３つの中央孔５２、挿入孔５３、５４の開口は線香立て５０の上面で一列になるように配置してあるが、挿入孔５３、５４の軸線は中央孔５２の軸線に対してθ３だけ外側に傾いて貫通開口させてある。
【００３２】
この構成の線香立て５０では、線香立て５０を受け凹部２４に挿入して組み合わせることができ、中央孔５２、挿入孔５３、５４の上部開口から線香の下端を挿入して、各線香を支持することができる。支持された３本の線香は、中央にある中央孔５２に支持された線香を中心として左右にθ３の角度で傾き、扇のように広げることができる。
【００３３】
図８は、本考案の第３の実施の形態を示すものである。この実施の形態では、図６における線香立て３０を変形させたもので、線香立て６０の上部外周は外側に向かって膨らんだつば部６１を形成している。線香立て６０の上面であって中央から左右に少し離れた２ヵ所の位置には、２つの挿入孔６２、６３が上下に貫通開口してある。挿入孔６２、６３の軸線は平行ではなく、左右にθ４の角度で外方に広げて設定してある。
【００３４】
この構成の線香立て６０では、各挿入孔６２、６３の上部開口に線香の下端を挿入して支持させることができる。挿入孔６２、６３により支持された線香は平行とはならず、外側にそれぞれ傾き、両者の間はθ４の角度で外側に開いた状態で支持される。
【００３５】
図９は、本考案の第４の実施の形態を示すものである。この実施の形態では、図６における線香立て３０を変形させたもので、線香立て７０の下半分は円筒形であるが上半分はやや半球形をした頭部７１となっていて、全体がキノコのような形となっている。このため、上半分と下半分の境界では胴部分から外側に拡大した段差部７２が形成されたことになる。そして、頭部７１の上面から線香立て７０の底面に向けて３本の挿入孔７３、７４、７５が貫通開口してある。これら３本の挿入孔７３、７４、７５は、その上部開口は頭部７１の上部中央から放射状に１２０度づつ離して位置させてある。このため、挿入孔７３、７４、７５の開口は頭部７１の中央を中心として正三角形の位置に配置されたことになる。そして、各挿入孔７３、７４、７５の軸線は平行ではなく、図９（ａ）中ｋ−ｋで切断した（ｂ）の断面図で示すように、線香立て７０の中央の軸線からそれぞれθ５だけ外側に開いた角度で配置してある。
【００３６】
この構成の線香立て７０では、各挿入孔７３、７４、７５の上部開口に線香の下端を挿入することで、各線香が支持される。その支持において、各線香は線香立て７０の中心軸からそれぞれ角度θ５だけ外側に広がった配置となり、各線香が放射状に広げられる。また、線香立て７０の下半分は図４における受け凹部２４に挿入するが、挿入した後の受け凹部２４を取り出す際には親指と人指し指を段差部７２の下面に接触させ、容易に掴み上げることができる。
【００３７】
図１０は、本考案の第５の実施の形態を示すものである。この実施の形態では、図６における線香立て３０を変形させたもので、線香立て８０の下半分は円筒形であるが上半分はやや半球形をした頭部８１となっていて、全体がキノコのような形となっている。このため、上半分と下半分の境界では胴部分から外側に拡大した段差部８２が形成されたことになる。そして、頭部８１の上面から線香立て８０の底面に向けて３本の中央孔８３、挿入孔８４、８５が貫通開口してある。この中央孔８３は頭部８１の上部中央から下方に向けて開口したもので、中央孔８３の軸線は線香立て８０の軸線と一致させてある。挿入孔８４、８５は、中央孔８３から左右に同じ距離だけ離した頭部８１の上面から線香立て８０の下面に向けて貫通開口してあり、中央孔８３、挿入孔８４、８５の上部の開口は一直線となるように配置してある。そして、挿入孔８４、８５の各軸線は、中央孔８３の軸線よりも外側に向けてθ６の角度に傾斜させてある。
【００３８】
この構成の線香立て８０では、各中央孔８３、挿入孔８４、８５の上部開口に線香の下端を挿入することで、各線香が支持される。これらの線香の支持において、中央孔８３に挿入された線香はほぼ垂直に支持されるが、挿入孔８４、８５に挿入された線香はそれぞれ角度θ５だけ外側に広がって支持され、扇のように広がった形に配列される。
【００３９】
図１１は、本考案の第６の実施の形態を示すものである。この実施の形態では、図６における線香立て３０を変形させたもので、線香立て９０の下半分は円筒形であるが上半分はやや半球形をした頭部９１となっていて、全体がキノコのような形となっている。このため、上半分と下半分の境界では胴部分から外側に拡大した９２が形成されたことになる。そして、頭部９１の上面から線香立て９０の底面に向けて２本の挿入孔９３、９４が貫通開口してある。両挿入孔９３、９４の軸線は平行には配置されておらず、両者の軸線はθ７の角度で外側に広がるように設定してある。
【００４０】
この構成の線香立て９０では、各挿入孔９３、９４の上部開口に線香の下端を挿入することで、両線香が支持される。この線香の支持において、２つの線香は左右にθ７の角度で傾斜し、左右に広がった形で配列される。
【図面の簡単な説明】
【００４１】
【図１】本考案の一実施形態であり、３本の線香を支持した状態の香炉を示す斜視図である。
【図２】本考案の一実施形態であり、香炉を構成する部材と線香を上下に引き離した状態を示す斜視図である。
【図３】本考案の一実施形態であり、３本の線香を支持した状態の香炉を示す縦断面図である。
【図４】本考案の一実施形態であり、香炉を構成する部材を上下に離した状態の縦断面図である。
【図５】本考案の一実施形態であり、香炉を構成する線香立てを灰受体から取り外す作業示す縦断面図である。
【図６】本考案の一実施形態であり、（ａ）は線香立ての外観を示す斜視図であり、（ｂ）はその縦断面図である。
【図７】本考案の線香立ての第２の実施形態を示し、（ａ）はその外観を示す斜視図であり、（ｂ）はその縦断面図である。
【図８】本考案の線香立ての第３の実施形態を示し、（ａ）はその外観を示す斜視図であり、（ｂ）はその縦断面図である。
【図９】本考案の線香立ての第４の実施形態を示し、（ａ）はその外観を示す斜視図であり、（ｂ）はその縦断面図である。
【図１０】本考案の線香立ての第５の実施形態を示し、（ａ）はその外観を示す斜視図であり、（ｂ）はその縦断面図である。
【図１１】本考案の線香立ての第６の実施形態を示し、（ａ）はその外観を示す斜視図であり、（ｂ）はその縦断面図である。
【図１２】従来に提案されていた線香立てによる、線香の支持状態を示す縦断面図である。
【符号の説明】
【００４２】
１０  香炉
２０  灰受体
２１  座板
２２  脚部
２３  皿部
２４  受け凹部
２５  内周面
３０  線香立て
３１  挿入孔
３２  挿入孔
３３  挿入孔
３４  中央孔
３５  つば部
３６  段差部
４１  線香
４２  線香
４３  線香
５０  線香立て
５１  つば部
５２  中央孔
５３  挿入孔
５４  挿入孔
５５  段差部
６０  線香立て
６１  つば部
６２  挿入孔
６３  挿入孔
６４  段差部
７０  線香立て
７１  頭部
７２  段差部
７３  挿入孔
７４  挿入孔
７５  挿入孔
８０  線香立て
８１  頭部
８２  段差部
８３  中央孔
８４  挿入孔
８５  挿入孔
９０  線香立て
９１  頭部
９２  段差部
９３  挿入孔
９４  挿入孔
【図１】
0003179424.tif 000003
【図２】
0003179424.tif 000004
【図３】
0003179424.tif 000005
【図４】
0003179424.tif 000006
【図５】
0003179424.tif 000007
【図６】
0003179424.tif 000008
【図７】
0003179424.tif 000009
【図８】
0003179424.tif 000010
【図９】
0003179424.tif 000011
【図１０】
0003179424.tif 000012
【図１１】
0003179424.tif 000013
【図１２】
0003179424.tif 000014